(57)【要約】【課題】目的の運転情報表示や機能表示にすぐに遷移し、使い勝手が良く、ユーザ操作性の高い空調管理装置を提供する。【解決手段】本発明の複数の空調機を監視する空調管理装置は、前記空調機に関する監視動作の指示情報を複数表示すると共に、前記指示情報に対応した前記空調機の運転情報を表示する監視情報表示領域と、所定の運転情報の表示をそれぞれ指示するショートカットボタンが配置されたランチャー領域と、が設けられた表示部と、前記指示情報に基づいて監視動作のショートカットボタンを前記ランチャー領域に配置する制御部と、を備えるようにした。【選択図】  図３
2018112380.tif 000002
【特許請求の範囲】
【請求項１】
複数の空調機を監視する空調管理装置であって、
前記空調機に関する監視動作の指示情報を複数表示すると共に、前記指示情報に対応した前記空調機の運転情報を表示する監視情報表示領域と、所定の運転情報の表示をそれぞれ指示するショートカットボタンが配置されたランチャー領域と、が設けられた表示部と、
前記指示情報に基づいて監視動作のショートカットボタンを前記ランチャー領域に配置する制御部と、
を備えたことを特徴とする空調管理装置。
【請求項２】
請求項１に記載の空調管理装置において、
前記ショートカットボタンは、固定配置ショートカットボタンとユーザ設定ショートカットボタンを含み、
前記制御部は、少なくとも前記固定配置ショートカットボタンを前記ランチャー領域に配置する
ことを特徴とする空調管理装置。
【請求項３】
請求項２に記載の空調管理装置において、
前記固定配置ショートカットボタンは、通常表示画面に遷移するホームボタンと、前記空調機に関する監視動作の指示情報を複数表示する画面に遷移する機能メニューボタンである
ことを特徴とする空調管理装置。
【請求項４】
請求項３に記載の空調管理装置において、
前記ホームボタンは、前記空調機の運転情報を表示する表示画面に遷移するショートカットボタンである
ことを特徴とする空調管理装置。
【請求項５】
請求項４に記載の空調管理装置において、
前記ホームボタンは、空調機の運転情報を一覧表示する表示画面であるモニタ画面に遷移するショートカットボタンであり、
前記モニタ画面は、「パネル」「リスト」「レイアウト」のいずれかの表示形式、かつ、「全体」「ブロック」「グループ」のいずれかの表示対象、かつ、「ブロック」「グループ」「ユニット」のいずれかの表示単位に設定されて一覧表示される
ことを特徴とする空調管理装置。
【請求項６】
請求項１から請求項５のいずれかに記載の空調管理装置において、
前記制御部は、オプション機能プログラムのインストール時に、前記オプション機能プログラムの初期設定プログラムのショートカットボタンを前記ランチャー領域に配置する
ことを特徴とする空調管理装置。
【請求項７】
複数の空調機を監視する空調管理装置の表示制御方法であって、
表示画面の一部に固定割当てされているランチャー領域に所定の運転情報の表示をそれぞれ指示するショートカットボタンを配置するステップと、
ショートカットボタンのタップにより所定の運転情報を表示するステップと、
を含むことを特徴とする空調管理装置の表示制御方法。
【請求項８】
請求項７に記載の空調管理装置の表示制御方法において、
前記ランチャー領域の前記空調機に関する監視動作の指示情報を複数表示する画面に遷移する機能メニューボタンのタップにより遷移した一覧表示画面において、ショートカット設定ボタンをタップした時に、ショートカットボタンを配置する画面に遷移する
ことを特徴とする空調管理装置の表示制御方法。
【請求項９】
請求項７または請求項８に記載の空調管理装置の表示制御方法において、
前記ショートカットボタンを配置するステップは、
機能メニューボタンのタップにより遷移した一覧表示画面に表示される前記空調機の所定の運転情報の表示を行う複数のプログラムのひとつをショートカットボタンに割り当てるステップと、
前記ショートカットボタンに割り当てられたプログラムの設定情報を求めるステップと、を含むことを特徴とする空調管理装置の表示制御方法。
【発明の詳細な説明】
【技術分野】
【０００１】
本発明は、複数の空調機を集中して運転管理する空調管理装置に関する。
【背景技術】
【０００２】
分散空調が可能なマルチエアコンは、執務環境や空調ニーズの個別対応が可能であり、省エネ性や快適性の向上を図ることができる。多くの空調機を効率的に運転するために、空調管理システムにより、集中管理することが多い。
多くの空調機を管理するため、従来の空調管理システムでは、複数の空気調和機の運転状態や運転データを、部屋毎やフロア毎等の空調機グループ毎に表示して確認できるようにしている。
【０００３】
例えば、特許文献１の空調管理システムでは、表示内容を切り替える表示内容切替え手段を設けて、各種の運転情報の表示内容を切り替えられるようにしている。
【先行技術文献】
【特許文献】
【０００４】
【特許文献１】国際公開第２０１１／０９９３４６号
【発明の概要】
【発明が解決しようとする課題】
【０００５】
上記の先行技術によれば、表示部に、複数の空調機グループの各種運転情報を、簡単な操作で確認しやすく表示させることができる。
しかし、特定の運転情報の表示や機能表示を行うのに、複数回のボタン操作が必要となる。さらに、運転情報の表示種別や機能表示の多様化により操作回数が増大する傾向にある。したがって、先行技術による表示では、使い勝手が悪かった。
また、ユーザによって頻繁に表示する運転情報や機能表示が異なり、ボタン操作の操作回数が異なるため、操作感にばらつきが生じる問題がある。
【０００６】
本発明の目的は、目的の運転情報表示や機能表示の画面にすぐに遷移し、使い勝手が良く、ユーザ操作性の高い空調管理装置を提供することにある。
【課題を解決するための手段】
【０００７】
前記課題を解決するため、本発明の複数の空調機を監視する空調管理装置は、前記空調機に関する監視動作の指示情報を複数表示すると共に、前記指示情報に対応した前記空調機の運転情報を表示する監視情報表示領域と、所定の運転情報の表示をそれぞれ指示するショートカットボタンが配置されたランチャー領域と、が設けられた表示部と、前記指示情報に基づいて監視動作のショートカットボタンを前記ランチャー領域に配置する制御部と、を備えるようにした。
【発明の効果】
【０００８】
本発明によれば、ユーザが、所定の運転情報表示や機能表示を、表示画面に設けられたランチャー領域にショートカットボタンとして登録できるようにしたので、ユーザの使い勝手を向上することができる。
【図面の簡単な説明】
【０００９】
【図１】空調管理装置が適用される空調管理システムの構成を示す図である。
【図２】空調管理システムの制御ブロック図である。
【図３】ホーム画面の表示例である。
【図４】室内機アイコンの拡大図である。
【図５】リスト表示形式で表示したモニタ画面の表示例である。
【図６】レイアウト形式で表示したモニタ画面の表示例である。
【図７】起動選択を行う機能メニュー画面である。
【図８】基本設定画面を示す図である。
【図９】ホーム画面を選定する画面である。
【図１０Ａ】ショートカットボタンを新規登録する場合を示している図である。
【図１０Ｂ】「ショートカット詳細設定」の画面である。
【図１１】画面遷移の一例を示す図である。
【図１２】プログラムランチャの設定データの構造を示す図である。
【図１３】ショートカット設定の処理フロー図である。
【発明を実施するための形態】
【００１０】
以下、本発明の実施形態について、図面を参照しながら詳細に説明する。
図１は、本実施形態の空調管理装置２が適用される空調管理システム１の構成を示す図である。
【００１１】
空調管理システム１は、空調管理装置２を備え、この空調管理装置２には、制御配線６を介して複数の室外ユニット３（３ａ、３ｂ）と、複数の室内ユニット４（４ａ、４ｂ、４ｃ、４ｄ、４ｅ）と、リモコンスイッチ５（５ａ、５ｂ）と、が接続されている。
【００１２】
空調管理装置２は、制御配線６を経由して室内ユニット４に、運転指示要求（運転モード、設定温度等の変更）を送信する。
リモコンスイッチ５から室内ユニット４に運転指示要求があった場合、室内ユニット４から空調管理装置２に、制御配線６を経由して、リモコンスイッチ５の運転指示要求を送信する。また、室内ユニット４と空調管理装置２は一定時間間隔で通信を行い、空調管理装置２は、室内ユニット４から受信した情報を保存する。
これにより、空調機の運転情報を表示・確認することができる。
【００１３】
空調管理装置２は、室内ユニット４ａ、４ｂをグループＡ１とし、室内ユニット４ｃ、４ｄ、４ｅをグループＡ２として、グループ単位に運転状態の表示・設定を行うことができる。例えば、部屋毎やフロア毎の室内ユニット４をグループとして管理することができる。
また、空調管理装置２は、部屋やフロアの異なるグループＡ１とグループＡ２をまとめたものをブロックＡとして扱う。
【００１４】
図２は、空調管理システム１の制御ブロック図である。図２では、室外ユニット３と室内ユニット４とリモコンスイッチ５は、それぞれ代表して、ひとつの構成により示している。
【００１５】
空調管理装置２は、通信部２１、制御部２２、入力部２３、表示部２４、記憶部２５を備えている。
室内ユニット４は、空調管理装置２、室外ユニット３およびリモコンスイッチ５と通信をするための通信部４１と、制御部４２を備えている。
室外ユニット３は、室内ユニット４、空調管理装置２と通信するための通信部３１と制御部３２を備えている。
リモコンスイッチ５は、室内ユニット４と通信するための通信部５１、制御部５２、入力部５３、表示部５４、記憶部５５を備えている。
【００１６】
つぎに、空調管理システム１の動作を説明する。
空調管理装置２の制御部２２は、入力部２３からの運転指示要求（運転モード、設定温度の変更等）を通信部２１から制御配線６を介して室内ユニット４に送信する。さらに、制御部２２は、後述する表示部２４の表示内容を制御する。
室内ユニット４の通信部４１は、その運転指示要求を受信し、制御部４２で運転指示要求を実行する。その実行後、室内ユニットの制御部４２は、通信部４１および制御配線６を介して空調管理装置２に室温等の運転状況のデータを送信する。
【００１７】
空調管理装置２の通信部２１は室内ユニット４の通信部４１からの変更データを受信し、その変更内容を表示部２４に表示する。また、前記変更データは、室内ユニットの通信部４１から制御配線６を介して室外ユニット３とリモコンスイッチ５に通信される。
【００１８】
リモコンスイッチ５からも室内ユニット４に運転指示要求が可能である。このリモコンスイッチ５からの運転指示要求は、リモコンの通信部５１および制御配線６を介して室内ユニット４の通信部４１に送信される。このリモコンスイッチ５からの運転指示要求があった場合も、その変更データは、室内ユニット４の通信部４１および制御配線６を介して空調管理装置２と室外ユニット３にも送信される。
【００１９】
また、室内ユニット４と空調管理装置２とは、運転データが変更される度に、あるいは、一定時間間隔で通信が行われる。空調管理装置２は、室内ユニット４から受信した室外ユニット３と室内ユニット４の運転情報等を記憶部２５に保存する。これにより、各空調機グループＡ１，Ａ２…の情報（運転情報やグループ名称など）を表示部２４に表示させて確認することが可能になる。
【００２０】
つぎに、空調管理装置２の表示部２４の表示例を、図３〜図１０により説明する。
図３は、空調管理装置２が表示部２４に通常表示するホーム画面の表示例である。ホーム画面は、空調管理装置２の運転情報表示や機能表示の操作の基本となる通常表示画面である。
まず、ホーム画面のウィンドウ構成について説明する。
【００２１】
表示部２４のホーム画面は、表示しているウィンドウの機能名称を表示するタイトルバー領域２４１と、ナビゲーションボタンやサブタイトルを配置するツールバー領域２４２と、詳細を後述する空調管理システムの機能メニュー等のショートカットボタンを配置され、常時固定割当てされているペインであるランチャー領域（ショートカット領域）２４３と、室内ユニットの運転情報や機能表示を行うメインペインである監視情報表示領域２４４と、状態表示を行うステータスバー領域２４５と、運転情報を表示する複数の室内機アイコン２４６から構成される。
【００２２】
実施形態の空調管理装置２では、監視情報表示領域２４４に室内ユニットの運転情報を一覧表示したモニタ画面をホーム画面として表示する。
詳細は後述するが、モニタ画面は、常に表示されているランチャー領域２４３の“ホーム”ボタンをタップ（クリック）すると、ワンタッチで、任意の画面からモニタ画面に表示を切り替えることができる。
【００２３】
図３は、ユニット単位に運転状況をパネル形式で表示したモニタ画面の表示例を示している。後述するが、モニタ画面は、パネル形式以外に、リスト形式（図５）やレイアウト形式（図６）で表示することもできる。
モニタ画面のツールバー領域２４２には、表示形式を変更する“パネル”“リスト”“レイアウト”ボタンが配置され、表示形式を変更できるようにしている。また、パネルまたはリスト形式の表示対象を、全体、ブロックＡ、グループＡ１、グループＡ２、表示単位を、ユニット単位、グループ単位、ブロック単位にするかを設定として記憶できる。
【００２４】
また、モニタ画面のツールバー領域２４２には、“ホームに設定”ボタンが常時配置されている。“ホームに設定”ボタンのタップにより、現在表示中のモニタ画面の表示形式、表示対象、表示単位を設定することもできる。現在表示中のモニタ画面の状態をホームに設定できるので、視覚的に設定しやすく、ユーザの利便性が向上する。
上記のツールバー領域２４２は、図５のリスト形式のモニタ画面や、図６のレイアウト形式のモニタ画面でも、同様に表示する。
【００２５】
図４は、図３の監視情報表示領域２４４に表示される室内機アイコン２４６の拡大図である。アイコン内に暖房・冷房・ドライ・送風等の“運転モード”、“設定温度”、“風量”、“風向”等の運転情報を文字列表示する。
その他、空調管理システムが監視対象としている“運転／停止”“運転モード”“設定温度”“吸込温度”“周囲温度”“風量”“風向”“リモコン操作許可／禁止”“アラームコード”“フィルターサイン”“サーモＯＮ情報”“点検サイン”の運転情報を選択して表示できるようにしてもよい。
【００２６】
図３に戻り、監視情報表示領域２４４に一覧表示する室内機アイコン２４６の表示色を変えて、“点検サイン”“フィルターサイン”“運転／停止”“運転モード”等を表示してもよい。例えば、点検が必要な場合には、室内機アイコン２４６を黄色表示する。アラームが発生した場合には、室内機アイコン２４６を赤色表示する。
これにより、運転異常の室内機やシステム全体の運用状況の視覚的な把握を容易に行える。
【００２７】
図３のランチャー領域２４３には、前述の“ホーム”ボタンの他に、“機能メニュー”ボタンと“リスト”ボタンと“スケジュール”ボタンと“料金按分”ボタンが配置される。このうち、ホーム”ボタンと“機能メニュー”ボタンは、常時表示される。
この“機能メニュー”ボタンをタップすると、図７により説明する空調管理装置２の機能の選択画面に遷移する。
【００２８】
ランチャー領域２４３の“リスト”ボタンをタップすると、図５で説明するリスト表示形式で表示するモニタ画面に遷移する。
ランチャー領域２４３の“スケジュール”ボタンをタップすると、空調機の運転・停止や設定温度を切り替えるスケジュールを設定する画面に遷移する。
ランチャー領域２４３の“料金按分”ボタンをタップすると、空調機毎の電力使用量の按分を表示する画面に遷移する。
【００２９】
上記のランチャー領域２４３の“リスト”ボタンと“スケジュール”ボタンと“料金按分”ボタンは、後述する“ショートカット設定機能”により、ユーザ設定される。
実施形態の空調管理装置２は、ランチャー領域２４３により所定の監視画面をワンタッチで表示することができる。
なお、ランチャー領域２４３をスクロール可能な画面領域とすることで、多くのショートカットボタンを配置することができる。
【００３０】
図５は、ユニット単位に運転状況をリスト形式で表示したモニタ画面の表示例を示している。各室内機の現在状態を並べて表示し、各室内機間の状態を比較することができる。
具体的には、室内機毎に、室内機の運転・停止状態を示す“運転／停止”、暖房・冷房・ドライ・送風等の“運転モード”、“風量”、“風向”、“設定温度”、“設置場所”から成る運転情報のリスト２４７を表示する。
【００３１】
図６は、ユニット単位に運転状況をレイアウト形式で表示したモニタ画面の表示例を示している。施設の平面図・鳥瞰図を取り込み、室内機等のアイコンを配置することで、空調機の運転状況を平面図・鳥瞰図上で視覚的に表示する。
【００３２】
上記のように、空調管理装置２では、ユーザの使用頻度が最も高いモニタ画面について、複数の表示形式から選択して表示できるようにし、そして、表示形式が設定されたモニタ画面をホーム画面に設定できるようにしている。そして、ホーム画面へ遷移するショットカットボタンを、ランチャー領域２４３に固定配置するようにした。
これにより、ユーザの用途に応じて運転情報を表示する監視画面を設定でき、そして、瞬時にホーム画面に遷移できるので、使い勝手が向上する。
【００３３】
つぎに、ランチャー領域２４３のショートカットボタンの設定方法について説明する。
図７は、空調管理装置２が処理する複数のプログラム（機能）の起動選択を行う機能メニュー画面である。図７の機能メニュー画面は、ランチャー領域２４３の“機能メニュー”ボタンをタップすると起動する。この“機能メニュー”ボタンも、“ホーム”ボタンと同様に、ランチャー領域２４３に固定配置されている。
【００３４】
機能メニュー画面には、図７に示すように、空調機、設備ユニットおよび全熱交換器の制御および監視を行う運転情報のモニタ画面に遷移する“モニタ”ボタンと、空調機、設備ユニットおよび全熱交換器のスケジュールの登録を行うスケジュール画面に遷移する“スケジュール”ボタンと、電力使用料金の按分を計算し表示する料金按分表示画面に遷移する“料金按分”ボタンと、空調機の運転時間、使用電力量、設定温度、室内温度、外気温度などをグラフまたはリスト表示するトレンド表示画面に遷移する“トレンド”ボタンと、エネルギー使用量から熱量、原油換算量、ＣＯ２排出量、参考金額を計算しグラフまたはリストでエネルギー使用量の確認できるようにするエネルギー管理画面に遷移する“エネルギー管理”ボタンと、使用電力量に応じて空調機のデマンド制御を行うためのデマンド制御の設定画面に遷移する“デマンド”ボタンと、日付時刻変更などユーザが任意に設定を行う設定画面に遷移する“基本設定”ボタンと、主にサービスマンが使用し、空調管理装置の詳細設定画面に遷移する“詳細設定”ボタンと、空調機の異常発生情報、システム情報などの履歴を表示できる履歴表示画面に遷移する“履歴”ボタンと、空調機の連動元と連動先を決め、連動元がある状態になると連動先が自動的に設定した状態になる連動動作の設定画面に遷移する“連動制御”ボタンと、が配置されている。
【００３５】
図８は、図７の機能メニュー画面の“基本設定”ボタンのタップにより遷移する基本設定画面を示している。
基本設定画面には、図８に示すように、“日付・時刻設定”ボタンと、“タッチパネル補正”ボタンと、“管理対象名称登録”ボタンと、“ロケール設定”ボタンと、“表示・音設定”ボタンと、“画面の明るさ調整”ボタンと、“連絡先表示”ボタンと、“ホーム設定”ボタンと、“ショートカット設定”ボタンと、が配置され、ボタンのタップによりそれぞれの設定画面に遷移する。
【００３６】
ここで、“ホーム設定”ボタンは、ホーム画面とするモニタ画面の表示形式、表示対象、表示単位の設定を行う画面に遷移するショートカットボタンである。
“ショートカット設定”ボタンは、ランチャー領域２４３（図３）に配置するショートカットボタンの登録・削除・修正を行う画面に遷移するショートカットボタンである。
他のショートカットボタンの説明は省略する。
【００３７】
図９は、図８の基本設定画面の“ホーム設定”ボタンのタップにより遷移するホーム画面を選定する画面である。
実施形態の空調管理装置２では、室内ユニットの運転状態を一覧表示したモニタ画面をホーム画面として表示する。図９では、ホーム画面として表示する際のモニタ画面の表示形式、表示対象、表示単位を、スピナー風のコンポーネントにより設定するようにしている。
【００３８】
具体的には、スピナー風のコンポーネントにより、「リスト」「パネル」「レイアウト」の項目を上矢印キーと下矢印キーで選択し、表示形式として登録する。同様に、「全体」、「ブロックＡ」「グループＡ１」「グループＡ２」の項目を上矢印キーと下矢印キーで選択し、表示対象として登録する。さらに、「ブロック」「グループ」「ユニット」の項目を上矢印キーと下矢印キーで選択し、表示単位として登録する。
【００３９】
ランチャー領域２４３の“ホーム”ボタンをタップすると、上記の表示形式、表示対象、表示単位に従ってモニタ画面を表示し、ホーム画面の表示を行う。
ホーム画面をモニタ画面以外の他の運転情報を表示する監視画面に設定してもよい。
【００４０】
図１０Ａと図１０Ｂは、ランチャー領域２４３（図３）に配置するショートカットボタンの設定を行う画面である。
ランチャー領域２４３の“ホーム”と“機能メニュー”のショートカットボタンは、固定配置され、ランチャー領域２４３の“リスト”“スケジュール”“料金按分”のショートカットボタンは、図１０Ａと図１０Ｂのショートカットボタンの設定を行う画面により設定される。
つまり、実施形態の空調管理装置２では、初期状態では、“ホーム”と“機能メニュー”のショートカットボタンのみが配置されている。
【００４１】
図１０Ａは、ランチャー領域２４３に３つのショートカットボタンを新規登録する場合を示している。ショートカット１〜３のそれぞれについて、図７の機能メニューに示したいずれかの機能（プログラム）を割り当てる。割り当てる機能は、図９と同様にスピナー風のコンポーネントにより行う。
ところで、図９のスピナー風のコンポーネントで“−”を選択するとショートカットボタンは表示されない。
ツールバー領域２４２には、ショートカットボタンに割り当てる機能を登録する“決定”ボタンが設定されている。この“決定”ボタンがタップされると、ランチャー領域２４３にショートカットボタンが配置される。
【００４２】
つぎに、図１０Ｂの「ショートカット詳細設定」の画面で、割り当てた機能（プログラム）の設定を行う。
ところで、ショートカットボタンの表示名は、割り当てた機能名にするが、他の表示名に修正してもよい。例えば、ショートカット１には、“モニタ”を割り当てたが、リスト表示形式のモニタ画面を行うショートカットボタンとするので、表示名を“リスト”とする。
【００４３】
ショートカット１には、“モニタ”を割り当てたので、表示形式の設定を行う。表示形式は、“リスト”“パネル”“レイアウト”の中から“リスト”を選択する。
“スケジュール”機能を割り当てたショートカット２も、同様にして、“通常期−曜日”を選択する。
“料金按分”機能を割り当てたショートカット３では、“−”を選択したので詳細表示は表示されない。
ツールバー領域２４２の“決定”ボタンがタップされると、上記の設定に応じて、ランチャー領域２４３に“リスト”“スケジュール”“料金按分”のショートカットボタンを作成し配置する。
【００４４】
つぎに、空調管理装置２の画面遷移の一例を図１１により説明する。
図１１は、ホーム画面表示の状態１１１から、室内ユニットの運転状態の一覧をリスト形式で表示するモニタ画面表示の状態１１４に遷移する場合を示している。
ユーザはホーム画面表示の状態１１１でランチャー領域２４３（図１）の“機能メニュー”ボタンをタップして、機能メニュー画面（図７）を開き、機能メニュー画面の状態１１２に遷移する。
つぎに、ユーザは機能メニュー画面の“モニタ”ボタンをタップして、モニタ画面（図３）を開き、モニタ画面表示（パネル表示）の状態１１３に遷移する。
この時、モニタ画面はパネル表示形式で一覧表示しているので、モニタ画面のツールバー領域２４２の“リスト”ボタンをタップして、リスト表示形式の一覧表示に切り替えて、モニタ画面表示（リスト表示）の状態１１４に遷移する。
【００４５】
上記では、３回の操作により、リスト表示形式のモニタ画面を表示しているが、ランチャー領域２４３に図１０Ａ、図１０Ｂで説明した“リスト”のショートカットボタンを配置しておけば、ホーム画面表示の状態１１１からモニタ画面表示（リスト表示）の状態１１４にワンタッチで遷移することができるので、ユーザの操作性が向上する。
【００４６】
ショートカットボタンを配置するランチャー領域２４３は固定割当てしているので、ランチャー領域２４３の“ホーム”ボタンをタップすることで、状態１１２〜状態１１４のいずれの状態からでも、直に、ホーム画面に遷移することができる。
また、ホーム画面で、“ホーム”ボタンをタップすれば、室内ユニットの運転状態の一覧表示を更新することができる。
【００４７】
つぎに、ランチャー領域２４３に配置されるショートカットボタンを参照して処理するプログラムランチャの設定データの構造を、図１２により説明する。
これらの設定データは、図９の“ホーム設定”、図１０Ａ、図１０Ｂの“シートカット設定”により説明した設定画面で設定される。
【００４８】
設定データは、ショートカットボタン毎に設けられ、空調管理装置２の記憶部２５（図２）に記憶される。
ボタン名称１２１は、ショートカットボタンの識別名である。ランチャー領域２４３に固定配置される“ホーム”“機能メニュー”ボタン（以下、固定配置ショートカットと称する）と、図１０Ａと図１０Ｂにより説明したユーザ設定されるショートカットボタン（ユーザ設定ショートカットと称する）とが識別できるようにする。
表示名１２２は、ショートカットボタンに表示される名称である。
【００４９】
表示位置１２３は、ランチャー領域２４３のボタン配置位置を示す位置情報である。ランチャー領域２４３の上端から位置を正数で示し、下端からの位置を負数で示す。
プログラムlink情報１２４は、運転状態の一覧表示等に関するプログラム（機能）のプログラム呼び出し名である。
引数列１２５は、図１０Ｂで説明したプログラム（機能）の設定情報である。
【００５０】
つぎに、図１３により、制御部２２（図２）で実行される図１０Ａ、図１０Ｂの“ショートカット設定”の処理フローを説明する。
“ショートカット設定”プログラムが起動すると、制御部２２は、図１２で説明したプログラムランチャの設定データを参照して、ユーザ設定ショートカットの設定データを取得する（Ｓ１３０）。
【００５１】
そして、制御部２２は、ユーザ設定ショートカットのそれぞれについて、リンク設定されているプログラム（機能）をスピナー風のコンポーネントにより表示する（Ｓ１３１）。このとき、スピナーの項目には、図７の機能メニューに対応したショートカットを割り当てる全てのプログラム（機能）を入力する。
この処理により、図１０Ａの「ショートカット設定」の画面が表示される。
【００５２】
ユーザがツールバー領域２４２の“決定”ボタンをタップすると、制御部２２は、ステップＳ１３２で、“決定”ボタンのタップ検出を行う。
【００５３】
ユーザがスピナーコンポーネントを操作してショートカットに割り当てるプログラムを変更あるいは登録すると、制御部２２は、ステップＳ１３３で判定して（Ｓ１３３のＹｅｓ）、ステップＳ１３４に進む。
ユーザ操作がない時には、制御部２２は、ステップＳ１３１に進み、ユーザ操作を待機する。
【００５４】
制御部２２は、ステップＳ１３４では、ユーザにより変更されたショートカットに割り当てるプログラムのリンク情報をプログラムランチャの設定データのプログラムlink情報１２４に登録する。
そして、制御部２２は、ステップＳ１３５で、変更あるいは登録したプログラムについて、詳細設定の要否を判定する。
【００５５】
ショートカットに割り当てるプログラムが詳細設定の不要なプログラムの場合には（Ｓ１３５の否）、制御部２２は、ステップＳ１３１に進む。
ショートカットに割り当てるプログラムが詳細設定の必要なプログラムの場合には（Ｓ１３５の要）、制御部２２は、プログラムランチャの設定データを参照して、ユーザ設定ショートカットのそれぞれについて、リンク設定されているプログラム（機能）の設定情報をスピナー風のコンポーネントにより表示する（Ｓ１３６）。
この処理により、図１０Ｂの「ショートカット詳細設定」の画面が表示される。
【００５６】
ユーザがツールバー領域２４２の“決定”ボタンをタップすると、制御部２２は、ステップＳ１３７で、“決定”ボタンのタップ検出を行う。
ユーザがスピナーコンポーネントを操作してショートカットに割り当てるプログラム設定情報を変更あるいは登録すると、制御部２２は、ステップＳ１３８で判定し（Ｓ１３８のＹｅｓ）て、ステップＳ１３９に進む。
ユーザ操作がない時（Ｓ１３８のＮｏ）には、制御部２２は、ステップＳ１３１に進み、ユーザ操作を待機する。
【００５７】
制御部２２は、ステップＳ１３９では、ユーザにより変更されたショートカットに割り当てるプログラムの設定情報をプログラムランチャの設定データの引数列１２４に登録する。
そして、制御部２２は、ステップＳ１３１に進み、ユーザ操作を待機する。
【００５８】
以上により、制御部２２により、ショートカットの登録や変更が行われる。
ランチャー領域２４３のショートカットボタンは、このプログラムランチャの設定データの登録・削除に応じて、表示が更新される。
【００５９】
別媒体により提供されるオプション機能プログラム（料金按分、エネルギー管理、デマンド等）においては、オプション機能プログラムのインストーラが、プログラムランチャの設定データに初期設定を行うことで、ランチャー領域２４３にオプション機能プログラムの初期設定を行うショートカットボタンを配置する。これにより、空調管理装置２の初期設定を容易に行える。
【００６０】
詳しくは、オプション機能プログラムのインストーラは、オプション機能プログラムを記憶部２５（図２）にプログラムをインストールすると共に、プログラムランチャの設定データ（図１２）に、オプション機能プログラムに関する初期設定プログラムのショートカットボタンの設定情報を記憶すればよい。
【００６１】
また、本発明は上記した実施例に限定されるものではなく、様々な変形例が含まれる。上記の実施例は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００６２】
１  空調管理システム
２  空調管理装置
３  室外ユニット
４  室内ユニット
５  リモコンスイッチ
６  制御配線
２１、３１、４１、５１  通信部
２２、３２，４２，５２  制御部
２３、５３  入力部
２４、５４  表示部
２５、５５  記憶部
２４１  タイトルバー領域
２４２  ツールバー領域
２４３  ランチャー領域
２４４  監視情報表示領域
２４５  ステータスバー領域
２４６  室内機アイコン
【図１】
2018112380.tif 000003
【図２】
2018112380.tif 000004
【図３】
2018112380.tif 000005
【図４】
2018112380.tif 000006
【図５】
2018112380.tif 000007
【図６】
2018112380.tif 000008
【図７】
2018112380.tif 000009
【図８】
2018112380.tif 000010
【図９】
2018112380.tif 000011
【図１０Ａ】
2018112380.tif 000012
【図１０Ｂ】
2018112380.tif 000013
【図１１】
2018112380.tif 000014
【図１２】
2018112380.tif 000015
【図１３】
2018112380.tif 000016
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
複数の空調機を監視する空調管理装置であって、
前記空調機に関する監視動作の指示情報を複数表示すると共に、前記指示情報に対応した前記空調機の運転情報を表示する監視情報表示領域と、所定の運転情報の表示をそれぞれ指示するショートカットボタンが配置されたランチャー領域と、が設けられた表示部と、
前記監視動作の指示情報のひとつとして表示されるショートカット設定の操作指示により、ショートカットする監視動作を少なくともひとつ登録するとともに、前記登録された数の監視動作のショートカットボタンを前記ランチャー領域に配置する制御部と、
を備えたことを特徴とする空調管理装置。
【請求項２】
請求項１に記載の空調管理装置において、
前記ショートカットボタンは、予め登録され固定配置されている固定配置ショートカットボタンとショートカット設定の操作指示の際に登録され所定位置に配置されるユーザ設定ショートカットボタンを含み、
前記制御部は、少なくとも前記固定配置ショートカットボタンを前記ランチャー領域に配置する
ことを特徴とする空調管理装置。
【請求項３】
請求項２に記載の空調管理装置において、
前記固定配置ショートカットボタンは、通常表示画面に遷移するホームボタンと、前記空調機に関する監視動作の指示情報を複数表示する画面に遷移する機能メニューボタンである
ことを特徴とする空調管理装置。
【請求項４】
請求項３に記載の空調管理装置において、
前記ホームボタンは、前記空調機の運転情報を表示する表示画面に遷移するショートカットボタンである
ことを特徴とする空調管理装置。
【請求項５】
請求項４に記載の空調管理装置において、
前記ホームボタンは、空調機の運転情報を一覧表示する表示画面であるモニタ画面に遷移するショートカットボタンであり、
前記モニタ画面は、「パネル」「リスト」「レイアウト」のいずれかの表示形式、かつ、「全体」「ブロック」「グループ」のいずれかの表示対象、かつ、「ブロック」「グループ」「ユニット」のいずれかの表示単位に設定されて一覧表示され、
前記表示形式、表示対象、表示単位の現在表示している組み合わせ状態を固定配置ショートカットボタンの遷移先として簡単に登録できるボタンを有する
ことを特徴とする空調管理装置。
【請求項６】
請求項１から請求項５のいずれかに記載の空調管理装置において、
前記制御部は、オプション機能プログラムのインストール時に、前記オプション機能プログラムの初期設定プログラムのショートカットボタンを前記ランチャー領域に配置する
ことを特徴とする空調管理装置。
【請求項７】
複数の空調機を監視する空調管理装置の表示制御方法であって、
前記空調機に関する監視動作の指示情報をユーザ設定ショートカットとして登録するステップと、
表示画面の一部に固定割当てされているランチャー領域に登録されたユーザ設定ショートカットに対応するショートカットボタンを配置するステップと、
前記ショートカットボタンのタップにより前記指示情報に対応する運転情報を表示するステップと、
を含むことを特徴とする空調管理装置の表示制御方法。
【請求項８】
請求項７に記載の空調管理装置の表示制御方法において、
前記ランチャー領域に固定配置される固定配置ショートカットボタンとして予め登録されている前記空調機に関する監視動作の指示情報を複数表示する画面に遷移する機能メニューボタンを有し、前記機能メニューボタンのタップにより遷移した一覧表示画面において、ショートカット設定ボタンをタップした時に、前記ユーザ設定ショートカットを登録する画面に遷移する
ことを特徴とする空調管理装置の表示制御方法。
【請求項９】
請求項８に記載の空調管理装置の表示制御方法において、
前記ユーザ設定ショートカットを登録するステップは、
前記一覧表示画面に表示される前記空調機の所定の運転情報の表示を行う複数のプログラムのひとつをショートカットボタンに割り当てるステップと、
前記ショートカットボタンに割り当てられたプログラムの設定情報を求めるステップと、を含むことを特徴とする空調管理装置の表示制御方法。
【手続補正２】
【補正対象書類名】明細書
【補正対象項目名】０００７
【補正方法】変更
【補正の内容】
【０００７】
前記課題を解決するため、本発明の複数の空調機を監視する空調管理装置は、前記空調機に関する監視動作の指示情報を複数表示すると共に、前記指示情報に対応した前記空調機の運転情報を表示する監視情報表示領域と、所定の運転情報の表示をそれぞれ指示するショートカットボタンが配置されたランチャー領域と、が設けられた表示部と、前記監視動作の指示情報のひとつとして表示されるショートカット設定の操作指示により、ショートカットする監視動作を少なくともひとつ登録するとともに、前記登録された数の監視動作のショートカットボタンを前記ランチャー領域に配置する制御部と、を備えるようにした。